(57)【要約】【課題】運転者のアクセル操作量に対する最適な要求値を決定することにより、運転者の感性に即した加速を十分に実現することができる車両制御システムおよび車両制御方法を提案すること。【解決手段】車両制御システムは、車両に加速度を発生する加速度発生装置（エンジン、Ｔ／Ｍ）と、運転者によるアクセルの操作に応じたアクセル開度Ｐａと、車両の車速ｖとに基づいて加速度発生装置を制御する車両制御装置とを備える。車両制御装置は、一定アクセル開度における速度と加速度との関係により定められたアクセル一定時加速度を条件とするアクセル開度Ｐａと要求加速度Ｇｘとの関係に基づいて決定された要求加速度Ｇｘに基づいて加速度発生装置を制御する。【選択図】図２
2011126423.tif 000002
【特許請求の範囲】
【請求項１】
車両に加速度を発生する加速度発生装置と、
運転者によるアクセルの操作に応じたアクセル操作量と、前記車両の車速とに基づいて前記加速度発生装置を制御する車両制御装置と、
を備える車両制御システムであって、
前記車両制御装置は、前記アクセル操作量の一定時における速度と前記加速度との関係により定められたアクセル一定時加速度を条件とする前記アクセル操作量と前記加速度に対応する要求値との関係に基づいて決定された要求値に基づいて前記加速度発生装置を制御することを特徴とする車両制御システム。
【請求項２】
前記アクセル操作量と前記要求値との関係は、さらにアイドルがオンからオフに切り替わった場合における加速度である最小加速度を条件とすることを特徴とする請求項１に記載の車両制御システム。
【請求項３】
前記アイドルがオンからオフに切り替わる場合における最小加速度は、前記アイドルがオンからオフに切り替わる際に前記加速度発生装置により発生可能な前記加速度である最小発生加速度であることを特徴とする請求項２に記載の車両制御システム。
【請求項４】
前記アイドルがオン時の前記最小加速度は、前記車速に応じて決定された値であることを特徴とする請求項３に記載の車両制御システム。
【請求項５】
前記アクセル操作量と前記要求値との関係は、前記アクセル操作量が少なくとも前記一定時におけるアクセル操作量よりも大きい領域であると、さらに前記アクセル操作量最大時に前記加速度発生装置により発生可能な前記加速度である最大発生加速度を条件とすることを特徴とする請求項１〜４のいずれか１項に記載の車両制御システム。
【請求項６】
前記アクセル操作量最大時の前記要求値は、前前記最大発生加速度に対応する値であることを特徴とする請求項５に記載の車両制御システム。
【請求項７】
加速度を発生する加速度発生装置と、
運転者によるアクセルの操作に応じたアクセル操作量と、前記車両の車速とに基づいて前記加速度発生装置を制御する車両制御装置と、
を備える車両制御システムであって、
前記車両制御装置は、前記アクセル操作量の一定時における前記車速と前記加速度との関係により定められたアクセル一定時加速度を含む前記アクセル操作量と前記加速度に対応する要求値との関係線と、前記アクセル操作量最大時に前記加速度発生装置により発生可能な前記加速度である最大発生加速度を含む前記アクセル操作量と前記要求値との関係線とを組み合わせた前記アクセル操作量と前記要求値との関係に基づいて前記加速度発生装置を制御することを特徴とする車両制御システム。
【請求項８】
運転者によるアクセルの操作に応じたアクセル操作量と、前記車両の車速とに基づいて車両に加速度を発生する加速度発生装置を制御する車両制御方法において、
前記アクセル操作量の一定時における速度と前記加速度との関係により定められたアクセル一定時加速度を条件とする前記アクセル操作量と前記加速度に対応する要求値との関係に基づいて決定された要求値に基づいて前記加速度発生装置を制御することを特徴とする車両制御方法。
【発明の詳細な説明】
【技術分野】
【０００１】
本発明は、車両制御システム、車両制御方法に関するものである。
【背景技術】
【０００２】
近年の車両制御においては、例えば特許文献１に示すように、車両の車速と、運転者がアクセルペダルを操作した際のアクセル操作量（アクセル開度、踏力等）とに基づいて運転者の要求する加速度である目標加速度を決定し、決定された目標加速度に基づいて例えばエンジンのスロットル開度、燃料噴射量、点火時期等を制御する、いわゆるトルクディマンド制御が行われている。従来のトルクディマンド制御では、車速と、アクセル操作量とに基づいて目標加速度が決定されるが、決定される目標加速度が専門評価者の感覚に基づいたものであるため、運転者にとって良好、上質な加速性能や加速感を実現する根拠に乏しく、最適な目標加速度を設計することが困難であるという問題があった。
【０００３】
また、トルクディマンド制御としては、例えば特許文献２〜５に示すように、ウェーバー・フェヒナーの法則（Weber-Fechner）を利用したものがある。ウェーバー・フェヒナーの法則によれば、「人間の感覚量は与えられた刺激量の物理量の対数に比例する。」とされており、ウェーバー・フェヒナーの法則を利用したトルクディマンド制御では、車速と、アクセル操作量と、ウェーバー・フェヒナーの法則を利用した指数関数とに基づいて要求値を決定し、要求値に基づいてエンジン等の出力制御が行われている。上記従来のトルクディマンド制御では、車速の上昇によって加速度の落ち込みが速くなったり、同一のアクセル操作量でなかなか定常状態にいたらず車速が上昇したりするため、運転者にとって違和感が発生する虞があった。
【先行技術文献】
【特許文献】
【０００４】
【特許文献１】特開昭６３−０２５３４２号公報
【特許文献２】特開２００８−２５４６００号公報
【特許文献３】特開２００９−０５７８７４号公報
【特許文献４】特開２００９−０５７８７５号公報
【特許文献５】特開２００９−０８３５４２号公報
【発明の概要】
【発明が解決しようとする課題】
【０００５】
上記ウェーバー・フェヒナーの法則を利用したトルクディマンド制御においても、運転者のアクセル操作量に対する最適な目標加速度の設計が困難であり、運転者の感性に即した加速を実現するには十分とはいえず改良の余地があった。
【０００６】
そこで、本発明は、上記に鑑みてなされたものであって、運転者のアクセル操作量に対する最適な要求値を決定することにより、運転者の感性に即した加速を十分に実現することができる車両制御システムおよび車両制御方法を提供することを目的とする。
【課題を解決するための手段】
【０００７】
上述した課題を解決し、目的を達成するために、本発明では、車両に加速度を発生する加速度発生装置と、運転者によるアクセルの操作に応じたアクセル操作量と、前記車両の車速とに基づいて前記加速度発生装置を制御する車両制御装置と、を備える車両制御システムであって、前記車両制御装置は、前記アクセル操作量の一定時における速度と前記加速度との関係により定められたアクセル一定時加速度を条件とする前記アクセル操作量と前記加速度に対応する要求値との関係に基づいて決定された要求値に基づいて前記加速度発生装置を制御することを特徴とする。
【０００８】
また、上記車両制御システムにおいて、前記アクセル操作量と前記要求値との関係は、さらにアイドルがオンからオフに切り替わった場合における加速度である最小加速度を条件とすることが好ましい。
【０００９】
また、上記車両制御システムにおいて、前記アイドルがオンからオフに切り替わる場合における最小加速度は、前記アイドルがオンからオフに切り替わる際に前記加速度発生装置により発生可能な前記加速度である最小発生加速度であることが好ましい。
【００１０】
また、上記車両制御システムにおいて、前記アイドルがオン時の前記最小加速度は、前記車速に応じて決定された値であることが好ましい。
【００１１】
また、上記車両制御システムにおいて、前記アクセル操作量と前記要求値との関係は、前記アクセル操作量が少なくとも前記一定時におけるアクセル操作量よりも大きい領域であると、さらに前記アクセル操作量最大時に前記加速度発生装置により発生可能な前記加速度である最大発生加速度を条件とすることが好ましい。
【００１２】
また、上記車両制御システムにおいて、前記アクセル操作量最大時の前記要求値は、前記最大発生加速度に対応する値であることが好ましい。
【００１３】
また、本発明では、加速度を発生する加速度発生装置と、運転者によるアクセルの操作に応じたアクセル操作量と、前記車両の車速とに基づいて前記加速度発生装置を制御する車両制御装置と、を備える車両制御システムであって、前記車両制御装置は、前記アクセル操作量の一定時における前記車速と前記加速度との関係により定められたアクセル一定時加速度を含む前記アクセル操作量と前記加速度に対応する要求値との関係線と、前記アクセル操作量最大時に前記加速度発生装置により発生可能な前記加速度である最大発生加速度を含む前記アクセル操作量と前記要求値との関係線とを組み合わせた前記アクセル操作量と前記要求値との関係に基づいて前記加速度発生装置を制御することを特徴とする。
【００１４】
また、本発明では、運転者によるアクセルの操作に応じたアクセル操作量と、前記車両の車速とに基づいて車両に加速度を発生する加速度発生装置を制御する車両制御方法において、前記アクセル操作量の一定時における速度と前記加速度との関係により定められたアクセル一定時加速度を条件とする前記アクセル操作量と前記加速度に対応する要求値との関係に基づいて決定された要求値に基づいて前記加速度発生装置を制御することを特徴とする。
【発明の効果】
【００１５】
本発明に係る車両制御システムおよび車両制御方法では、アクセル操作量と要求値との関係は、アクセル操作量の一定時における速度と加速度の関係を条件としているので、アクセル操作量を一定に保ったときの車速方向の車両に発生する加速度を設計することができる。従って、運転者のアクセル操作量に対する最適な要求値を決定することにより、運転者の感性に即した加速を十分に実現することができるという効果を奏する。
【００１６】
また、本発明に係る車両制御システムでは、アクセル操作量と要求値との関係は、運転者のアクセル操作量が少なくとも一定時におけるアクセル操作量よりも大きい領域となると、さらに最大発生加速度を条件としているので、アクセル操作量の大きい領域において同一アクセル操作量での車両に発生する加速度と加速度発生装置が発生することができる加速度との差が大きくなることを抑制することができる。従って、最大発生加速度を考慮することにより、運転者の感性に即した加速を十分に実現することができるという効果を奏する。
【００１７】
また、本発明に係る車両制御システムは、アクセル操作量最大時の要求値がアクセル操作量最大時の最大発生加速度に対応する値に決定されるので、最大発生加速度が車両に発生することとなり、加速度発生装置の最大出力を保証することができ、運転者の感性に即した加速を十分に実現することができるという効果を奏する。
【００１８】
また、本発明に係る車両制御システムは、アイドルがオンからオフに切り替わる場合における最小加速度を最小発生加速度とするので、アクセルがオンされた直後から車両に駆動力を発生することができる。従って、アクセルのオフからオンでの駆動力のつながりを補償でき、車両に発生する加速度が連続的に変化し、車両の発進や再加速を滑らかに実現することができる。
【図面の簡単な説明】
【００１９】
【図１】図１は、実施形態に係る車両制御システムの概略構成例を示す図である。
【図２】図２は、要求加速度とアクセル開度との関係を示す図である。
【図３】図３は、実施形態に係る車両制御システムによる車両制御方法を示す制御フロー図である。
【図４】図４は、実施形態に係る車両制御システムによる車両制御方法の一部を示す制御フロー図である。
【図５】図５は、一定アクセル開度における加速度と車速との関係を示す図である。
【図６】図６は、加速度とアクセル開度と車速との関係を示す図である。
【図７】図７は、加速度とアクセル開度と車速との関係を示す図である。
【図８】図８は、アクセル開度一定時における要求加速度と車速との関係を示す図である。
【図９】図９は、車速一定時における要求加速度とアクセル開度との関係を示す図である。
【図１０】図１０は、アクセル開度と時間との関係を示す図である。
【図１１】図１１は、要求加速度と時間との関係を示す図である。
【図１２】図１２は、スロットル開度と時間との関係を示す図である。
【発明を実施するための形態】
【００２０】
以下、本発明につき図面を参照しつつ詳細に説明する。なお、下記の実施形態により本発明が限定されるものではない。また、下記の実施形態における構成要素には、当業者が容易に想定できるもの、あるいは実質的に同一のものが含まれる。また、下記の実施形態における加速度には、車両を加速させる方向の加速度のみならず、車両を減速させる方向の加速度も含まれる。
【００２１】
図１は、実施形態に係る車両制御システムの概略構成例を示す図である。また、図２は、車速一定時における要求加速度とアクセル開度との関係を示す図である。
【００２２】
運転者が搭乗する車両（以下、単に「車両ＣＡ」と称する）は、図１に示すように、少なくとも車両制御システム１が搭載されている。車両制御システム１は、アクセルセンサ２と、車速センサ３と、エンジン４と、トランスミッション（以下、単に「Ｔ／Ｍ」と称する。）５と、ＥＣＵ６とにより構成されている。車両制御システム１は、アクセルセンサ２から出力されるアクセル操作量と、車速センサ３から出力される車速ｖとを入力値として、ＥＣＵ６において要求値が決定され、決定された要求値に基づいてエンジン４およびＴ／Ｍ５が制御され、車両ＣＡに要求値に応じた加速度Ｇ〔ｍ／ｓ２〕を発生させるものである。つまり、車両制御システム１は、要求値ディマンド制御を行うものである。ここで、車両制御システム１は、アクセル操作量と車速ｖとを入力値として要求値を決定するものであり、車両１に対する周辺車両や障害物との位置関係を入力値として要求値を決定することはない。また、要求値は、実施形態では、要求加速度Ｇｘ〔ｍ／ｓ２〕であるがこれに限定されるものではなく車両ＣＡに発生する加速度Ｇに対応するものであれば良く、例えば要求駆動力Ｆｏ〔Ｎ〕であっても良い。なお、車両制御システム１は、アクセル操作量と車速ｖ〔ｋｍ／ｈ〕とを入力値として要求車速を決定することはない。
【００２３】
アクセルセンサ２は、運転者によるアクセルの操作に応じたアクセル操作量を検出するものである。アクセルセンサ２は、実施形態では、運転者が操作する図示しないアクセルペダルの操作に応じたアクセル開度Ｐａ〔％〕を検出するものである。アクセルセンサ２は、ＥＣＵ６と接続されており、アクセル開度Ｐａに係る信号がＥＣＵ６に出力され、アクセル開度Ｐａが入力値としてＥＣＵ６により取得される。取得されたアクセル開度Ｐａは、要求加速度Ｇｘ〔ｍ／ｓ２〕を決定する際に用いられる。
【００２４】
車速センサ３は、車両ＣＡの車速ｖを検出するものである。車速センサ３は、ＥＣＵ６と接続されており、車速ｖに係る信号がＥＣＵ６に出力され、車速ｖが入力値としてＥＣＵ６により取得される。取得された車速ｖは、要求加速度Ｇｘを決定する際に用いられる。ここで、車速センサ３は、車両ＣＡの各車輪に取り付けられている車輪速センサ、エンジン４から図示しない駆動輪までの経路における回転体の回転数を検出するセンサなどに限られず、ＧＰＳに代表される車両ＣＡの位置データを検出するセンサなどであっても良い。この場合は出力された位置データに基づいてＥＣＵ６が車速ｖを算出する。
【００２５】
エンジン４は、車両ＣＡに加速度Ｇを発生する加速度発生装置を構成するものである。エンジン４は、動力源であり、燃料を燃焼させることにより燃料のエネルギを機械的仕事に変換して出力する熱機関であり、ピストン往復動機関である。エンジン４は図示しない燃料噴射装置、エンジン４の図示しない吸気系統に設けられたスロットル弁、エンジン４の図示しない燃焼室に設けられた点火プラグ及び各種センサ等を有しており、これら装置はＥＣＵ６により制御される。エンジン４の図示しない出力軸は、Ｔ／Ｍ５の入力軸と連結されており、エンジン４が出力する機械的動力がＴ／Ｍ５を介して、図示しない駆動輪に伝達され、車両ＣＡに加速度Ｇが発生する。エンジン４が発生するエンジントルクＴは、ＥＣＵ６により決定された要求加速度Ｇｘに基づいて決定された目標エンジントルクＴｏに基づいて制御される。なお、エンジン４には、出力軸の回転角位置（以下、「クランク角」と記す）を検出する図示しないクランク角センサが設けられており、クランク角に係る信号がＥＣＵ６に出力され、クランク角が入力値としてＥＣＵ６により取得される。
【００２６】
Ｔ／Ｍ５は、車両ＣＡに加速度Ｇを発生する加速度発生装置を構成するものである。Ｔ／Ｍ５は、エンジン４と駆動輪との間に設けられているものであり、エンジン４が発生した機械的動力を駆動輪に伝達するとともに、エンジントルクＴを変換する図示しない自動変速機を備える動力伝達機構である。Ｔ／Ｍ５は、図示しないトルクコンバータ、自動変速機および各種センサ等を有しており、これら装置は、ＥＣＵ６により制御される。Ｔ／Ｍ５の図示しない出力軸は、駆動輪と連結されている。Ｔ／Ｍ５の自動変速機の変速比γは、ＥＣＵ６により決定された要求加速度Ｇｘに基づいて決定された目標変速比γｏに基づいて制御される。Ｔ／Ｍ５に伝達されたエンジントルクＴは、変速比γに応じて変換され、駆動輪に伝達されることから、変速比γに応じて車両ＣＡに発生する加速度Ｇが変化する。ここで、自動変速機は、有段変速機、無段変速機のいずれであっても良い。なお、有段変速機の場合は、目標変速比γｏが目標変速段となる。
【００２７】
ＥＣＵ６は、運転者によるアクセルの操作に応じたアクセル操作量と、車両ＣＡの車速ｖとに基づいて加速度発生装置であるエンジン４およびＴ／Ｍ５を制御する車両制御装置である。つまり、ＥＣＵ６は、エンジンＥＣＵおよびトランスミッションＥＣＵとしての機能を有する。ＥＣＵ６は、算出された目標エンジントルクＴｏに基づいて、噴射信号、点火信号、開度信号などをエンジン４に出力し、これらの出力信号によりエンジン４に供給される燃料の燃料供給量や噴射タイミングなどの燃料噴射制御、図示しない点火プラグの点火制御、スロットル弁の開度制御などが行われる。また、ＥＣＵ６は、算出された目標変速比γｏに基づいて、各種油圧制御信号などをＴ／Ｍ５に出力し、これらの出力信号によりＴ／Ｍ５の自動変速機の変速制御などが行われる。なお、ＥＣＵ６のハード構成は、主に演算処理を行うＣＰＵ（Central Processing Unit）、プログラムや情報を格納するメモリ（ＳＲＡＭなどのＲＡＭ、ＥＥＰＲＯＭなどのＲＯＭ（Read Only Memory））、入出力インターフェースなどから構成され、既知の車両に搭載されるＥＣＵと同様であるため、詳細な説明は省略する。
【００２８】
ＥＣＵ６は、実施形態では、アクセル開度Ｐａと、車両ＣＡの車速ｖとに基づいて要求加速度Ｇｘを決定し、決定された要求加速度Ｇｘに基づいて動的要求加速度Ｇｙを決定し、決定された動的要求加速度Ｇｙに基づいて要求駆動力Ｆｏを決定し、決定された要求駆動力Ｆｏに基づいて目標エンジントルクＴｏおよび目標変速比γｏを決定し、決定された目標エンジントルクＴｏおよび目標変速比γｏに基づいてエンジン４およびＴ／Ｍ５を制御する。ＥＣＵ６は、静的要求加速度算出部６１と、動的要求加速度算出部６２と、要求駆動力算出部６３と、目標値算出部６４とにより構成されている。
【００２９】
静的要求加速度算出部６１は、アクセル操作量の一定時における車速ｖと加速度Ｇとの関係（以下、単に「ｖ−Ｇ関係」と称する。）により定められたアクセル操作量一定時加速度を条件とするアクセル操作量と要求値との関係に基づいて要求値である要求加速度Ｇｘを決定するものである。静的要求加速度算出部６１は、アクセル開度Ｐａと車速ｖとに基づいて、一定アクセル開度Ｐａ１におけるｖ−Ｇ関係により定められたアクセル一定時加速度Ｇｘ１を条件とするアクセル開度Ｐａと要求加速度Ｇｘとの関係（以下、単に「Ｐａ−Ｇｘ関係」と称する。）に基づいて静的要求加速度である要求加速度Ｇｘを算出し、動的要求加速度算出部６２に出力する。静的要求加速度算出部６１は、アクセル開度Ｐａと、車速ｖと、ウェーバー・フェヒナー（Weber-Fechner）の法則に基づく指数関数（以下、単に「ＷＦ指数関数」と称する。）とに基づいて要求加速度Ｇｘを算出する。ＷＦ指数関数は、任意の車速ｖにおいてアクセル開度Ｐａが一定アクセル開度Ｐａ１であると、任意の車速ｖにおけるアクセル一定時加速度Ｇｘ１が要求加速度Ｇｘとして算出されるように定められている。従って、静的要求加速度算出部６１は、同一車速ｖであり、かつ一定アクセル開度Ｐａ１であると、同じアクセル一定時加速度Ｇｘ１が要求加速度Ｇｘとして算出される。つまり、実施形態に係るＰａ−Ｇｘ関係は、ＷＦ指数関数に基づいて要求加速度Ｇｘを算出するという所定の特性を有する。また、実施形態に係るＰａ−Ｇｘ関係は、一定アクセル開度Ｐａ１におけるｖ−Ｇ関係により定められたアクセル一定時加速度Ｇｘ１を一定アクセル開度Ｐａ１における要求加速度Ｇｘとして算出するという所定の特性を有する。なお、一定アクセル開度Ｐａ１は、実施形態では６０％とするがこれに限定されるものではなく、車種、搭載される加速度発生装置の構成、車両ＣＡの諸元などの諸条件で適宜設定されるものである。また、一定アクセル開度Ｐａ１は、最大アクセル開度Ｐａｍａｘに近くならない程度の大きいアクセル開度Ｐａが好ましい。これは、一定アクセル開度Ｐａ１が最大アクセル開度Ｐａｍａｘに近づくと後述する関係線Ｘ２の傾きが大きくなるためである。
【００３０】
ここで、Ｐａ−Ｇｘ関係は、アクセル一定時加速度Ｇｘ１とともに、アイドルがオンからオフに切り替わった場合における加速度Ｇである最小加速度Ｇｘ０を条件とする。ここで、アイドルがオンとはアクセル開度Ｐａが０％、すなわち全閉アクセル開度Ｐａ０の状態（アクセルがオフ）をいい、アイドルがオフとは全閉アクセル開度Ｐａ０以外である状態（アクセルがオン）をいう。ＷＦ指数関数は、アイドルがオン時、すなわち全閉アクセル開度Ｐａ０であると、最小加速度Ｇｘ０が要求加速度Ｇｘとして算出されるように定められている。実施形態では、アイドルがオンからオフに切り替わる際に加速度発生装置であるエンジン４およびＴ／Ｍ５により発生可能な加速度Ｇである最小発生加速度Ｇｘｍｉｎ、あるいは車速ｖ応じて決定された値、すなわち設定最小加速度Ｇｘ０´のいずれかが最小加速度Ｇｘ０に決定される。最小発生加速度Ｇｘｍｉｎは、現在の車速ｖ、変速比γ、ロックアップ付きトルクコンバータを備える場合はロックアップ係合状態、燃料流量学習値、燃料流量に対するフィードバック補正量、燃料流量に対する始動時における補正量、フューエルカット状態、エンジン水温、エアコンプレッサ負荷、オルタネータ負荷（電気負荷）、燃料流量に対する排気系統に備えられる触媒暖機補正量、燃料流量に対するエンジンストップ回避補正量、燃料流量に対するパージによる補正量、燃料流量に対する減速過渡時補正量などの要素に基づいて算出される。設定最小加速度Ｇｘ０´は、車速ｖとの関係で予め設定されているものであり、例えば図５に示すように、車速ｖの増加に伴い減少するように設定されている。
【００３１】
静的要求加速度算出部６１は、実施形態では、アイドルがオン時に設定最小加速度Ｇｘ０´を最小加速度Ｇｘ０に決定し、アイドルがオンからオフに切り替わった場合に、アイドルがオンからオフに切り替わる際の設定最小加速度Ｇｘ０´が算出された最小発生加速度Ｇｘｍｉｎと異なる場合は、最小発生加速度Ｇｘｍｉｎを最小加速度Ｇｘ０に決定し、さらにアイドルがオフ時に最小加速度Ｇｘ０を車速ｖに拘わらず上記最小発生加速度Ｇｘｍｉｎに維持する。つまり、アイドルがオン時、すなわちアクセル開度Ｐａが全閉アクセル開度Ｐａ０以外では、最小発生加速度Ｇｘｍｉｎを最小加速度Ｇｘ０とする。
【００３２】
また、Ｐａ−Ｇｘ関係は、アクセル開度Ｐａが少なくとも一定アクセル開度Ｐａ１よりも大きい領域となると、実施形態では、アクセル開度Ｐａが一定アクセル開度Ｐａ１よりも大きい境界アクセル開度Ｐａ２（＞Ｐａ１）を超えると、アクセル開度Ｐａが最大の１００％（アクセル操作量最大）の場合、すなわち最大アクセル開度Ｐａｍａｘ時にエンジン４およびＴ／Ｍ５により発生可能な加速度Ｇである最大発生加速度Ｇｘｍａｘを条件とする。静的要求加速度算出部６１は、任意の車速ｖにおいてアクセル開度Ｐａが境界アクセル開度Ｐａ２を超える場合、任意の車速ｖと境界アクセル開度Ｐａ２とＷＦ指数関数とにより基づいて算出された境界要求加速度Ｇｘ２を任意の車速ｖにおける最大発生加速度Ｇｘｍａｘに基づいて補完することで要求加速度Ｇｘを算出する。具体的には、静的要求加速度算出部６１は、境界要求加速度Ｇｘ２および最大発生加速度Ｇｘｍａｘに基づき線形補間を行うことで、要求加速度Ｇｘを算出する。ここで、静的要求加速度算出部６１は、任意の車速ｖにおいてアクセル開度Ｐａが最大アクセル開度Ｐａｍａｘである場合、任意の車速ｖにおける最大発生加速度Ｇｘｍａｘを要求加速度Ｇｘとして算出する。つまり、Ｐａ−Ｇｘ関係は、最大アクセル開度Ｐａｍａｘ時に要求加速度Ｇｘが最大発生加速度Ｇｘｍａｘとなるように定められる。従って、Ｐａ−Ｇｘ関係は、図２に示すように、車速ｖにかかわらず、アクセル一定時加速度Ｇｘ１を含むアクセル開度Ｐａと要求加速度Ｇｘとの関係線Ｘ１（ＷＦ指数関数に基づく関係線）と、最大発生加速度Ｇｘｍａｘを含むアクセル開度Ｐａと要求加速度Ｇｘとの関係線Ｘ２（境界要求加速度Ｇｘ２と最大発生加速度Ｇｘｍａｘとの間を線形補間する関係線）とを組み合わせたものとなる。要求加速度Ｇｘは、アクセル開度Ｐａが０、すなわちアイドルがオンからアクセル一定時加速度Ｇｘ１、最小加速度Ｇｘを条件とするＷＦ指数関数に基づいて算出されるが、アクセル開度Ｐａが少なくとも一定アクセル開度Ｐａ１よりも大きい領域となると、加速度発生装置の最大出力特性を考慮して最大発生加速度Ｇｘｍａｘにより補完される。つまり、実施形態に係るＰａ−Ｇｘ関係は、アクセル開度Ｐａが少なくとも一定アクセル開度Ｐａ１よりも大きい領域となると、要求加速度Ｇｘが最大発生加速度Ｇｘｍａｘにより補完されるという所定の特性を有する。また、実施形態に係るＰａ−Ｇｘ関係は、最大発生加速度Ｇｘｍａｘが最大アクセル開度Ｐａｍａｘにおける要求加速度Ｇｘとなるという所定の特性を有する。なお、境界アクセル開度Ｐａ２は、実施形態では８０％とするがこれに限定されるものではなく、車種、搭載される加速度発生装置の構成、車両ＣＡの諸元などの諸条件で適宜設定される。また、補完方法は、線形補間に限定されるものではなく、他の多項式補間を用いても良い。
【００３３】
動的要求加速度算出部６２は、動的要求加速度Ｇｙ〔ｍ／ｓ２〕を決定するものである。動的要求加速度算出部６２は、静的要求加速度算出部６１において算出された要求加速度Ｇｘに基づいて動的要求加速度Ｇｙを算出し、要求駆動力算出部６３に出力する。動的要求加速度算出部６２は、動的フィルタを用いて車両ＣＡに発生する加速度Ｇが決定された要求加速度Ｇｘに至るまでの変化（カーブ）を決定する。従って、動的要求加速度算出部６２は、アクセル開度Ｐａに対する加速度Ｇに影響を与えるスロットル開度Ｓａの応答性を変化させることができる。例えば、車両ＣＡの発進時などは、加速度Ｇの応答性が低くなるように、動的フィルタによりなまし度合いを大きくして動的要求加速度Ｇｙを算出し、滑らかな発進を可能とする。また、運転者によるアクセルの操作速度が速い場合などでは、加速度Ｇの応答性が高くなるように、動的フィルタによりなまし度合いを小さくして動的要求加速度Ｇｙを算出し、エンジン４のスロットル弁を一時的に過剰に開かせて、高応答な加速度Ｇを車両ＣＡに発生させる。つまり、ＥＣＵ６は、静的要求加速度算出部６１と動的要求加速度算出部６２とを別々に設けることにより、静的要求加速度算出部６１により決定されるアクセル開度Ｐａに対するスロットル開度Ｓａの非線形、すなわちアクセル開度Ｐａに対する加速度Ｇの非線形と、動的要求加速度算出部６２により決定されるアクセル開度に対するスロットル開度Ｓａの応答性、すなわちアクセル開度Ｐａに対する加速度Ｇの応答性を分離することができる。
【００３４】
要求駆動力算出部６３は、要求駆動力Ｆｏを決定するものである。要求駆動力算出部６３は、動的要求加速度算出部６２において算出された動的要求加速度Ｇｙに基づいて要求駆動力Ｆｏを算出し、目標値算出部６４に出力する。要求駆動力算出部６３は、車両ＣＡの諸元と走行抵抗とに基づいて算出される。要求駆動力算出部６３は、例えば、動的要求加速度Ｇｙと車両ＣＡの質量とに基づいた駆動力と走行抵抗に基づいた駆動力とを加えた駆動力を要求駆動力Ｆｏとして算出する。
【００３５】
目標値算出部６４は、加速度発生装置を制御するための目標値を決定するものである。目標値算出部６４は、要求駆動力算出部６３において算出された要求駆動力Ｆｏに基づいて、目標エンジントルクＴｏおよび目標変速比γｏを算出する。なお、ＥＣＵ６は、エンジン４が発生するエンジントルクＴおよび変速比γが目標エンジントルクＴｏおよび目標変速比γｏとなるようにエンジン４およびＴ／Ｍ５を制御する。
【００３６】
次に、車両制御システム１による車両制御方法について説明する。ここでは、アクセル開度Ｐａおよび車速ｖに基づいて要求加速度Ｇｘを決定する方法を説明する。なお、決定された要求加速度Ｇｘに基づいてエンジン４およびＴ／Ｍ５を制御する方法は上記に説明したのでここでは省略する。図３は、実施形態に係る車両制御システムによる車両制御方法を示す制御フロー図である。図４は、実施形態に係る車両制御システムによる車両制御方法の一部を示す制御フロー図である。図５は、一定アクセル開度における加速度と車速との関係を示す図である。図６は、加速度とアクセル開度と車速との関係を示す図である。図７は、加速度とアクセル開度と車速との関係を示す図である。図８は、アクセル開度一定時における要求加速度と車速との関係を示す図である。図９は、車速一定時における要求加速度とアクセル開度との関係を示す図である。図１０は、アクセル開度と時間との関係を示す図である。図１１は、要求加速度と時間との関係を示す図である。図１２は、スロットル開度と時間との関係を示す図である。
【００３７】
まず、車両制御システム１のＥＣＵ６は、図３に示すように、上述のように、アクセル開度Ｐａ、車両ＣＡの車速ｖを取得する（ステップＳＴ１）。
【００３８】
次に、ＥＣＵ６は、最小加速度Ｇｘ０を算出する（ステップＳＴ２）。まず、ＥＣＵ６は、図４に示すように、アイドルがオンであるか否かを判断する（ステップＳＴ２１）。ここでは、ＥＣＵ６は、アクセル開度Ｐａが全閉アクセル開度Ｐａ０であるか否かを判断する。
【００３９】
次に、ＥＣＵ６は、アイドルがオンであると判断する（ステップＳＴ２１肯定）と、アイドルがオンからオフに切り替わったか否かを判断する（ステップＳＴ２２）。ここでは、ＥＣＵ６は、アクセル開度Ｐａが全閉アクセル開度Ｐａ０から全閉アクセル開度Ｐａ０以外になったか否かを判断することで、最小加速度Ｇｘ０を最小発生加速度Ｇｘｍｉｎに決定するか、設定最小加速度Ｇｘ０´に決定するかを判断する。
【００４０】
次に、ＥＣＵ６は、アイドルがオンからオフに切り替わったと判断する（ステップＳＴ２２肯定）と、最小発生加速度Ｇｘｍｉｎを算出し、最小加速度Ｇｘ０を算出された最小発生加速度Ｇｘｍｉｎに決定（Ｇｘ０＝Ｇｘｍｉｎ）する（ステップＳＴ２３）。
【００４１】
次に、ＥＣＵ６は、動的フィルタをリセットする（ステップＳＴ２４）。ここでは、ＥＣＵ６は、アイドルがオンからオフに切り替わり、運転者が操作を開始する際に、動的フィルタをリセットするので、最小加速度Ｇｘ０である最小発生加速度Ｇｘｍｉｎに基づいて算出される要求加速度Ｇｘに基づいて動的要求加速度算出部６２が新たな動的フィルタを用いて動的要求加速度Ｇｙを算出することができる。これにより、要求加速度Ｇｘを最小加速度Ｇｘ０の変更に基づいて変更する場合に、動的フィルタをリセットしないことによる補正前の要求駆動力Ｆｏの影響を受けることを抑制することができる。
【００４２】
次に、ＥＣＵ６は、決定された最小加速度Ｇｘ０を前回最小加速度Ｇｘ０ｌａｓｔに決定（Ｇｘ０＝Ｇｘ０ｌａｓｔ）する（ステップＳＴ２５）。
【００４３】
また、ＥＣＵ６は、アイドルがオンからオフに切り替わっていないと判断する（ステップＳＴ２２否定）と、車速ｖに基づいて設定最小加速度Ｇｘ０´を設定し、最小加速度Ｇｘ０を設定された設定最小加速度Ｇｘ０´に決定（Ｇｘ０＝Ｇｘ０´）する（ステップＳＴ２６）。
【００４４】
また、ＥＣＵ６は、アイドルがオフであると判断する（ステップＳＴ２１否定）と、決定された前回最小加速度Ｇｘ０ｌａｓｔを最小加速度Ｇｘ０に決定（Ｇｘ０ｌａｓｔ＝Ｇｘ０）する（ステップＳＴ２７）。ここでは、ＥＣＵ６は、アクセル開度Ｐａが全閉アクセル開度Ｐａ０から全閉アクセル開度Ｐａ０以外となり、再度全閉アクセル開度Ｐａ０となるまで、最小加速度Ｇｘ０をアイドルがオンからオフに切り替わった際に算出された最小発生加速度Ｇｘｍｉｎとする。
【００４５】
次に、ＥＣＵ６は、図３に示すように、アクセル一定時加速度Ｇｘ１を算出する（ステップＳＴ３）。ここでは、ＥＣＵ６は、取得されたアクセル開度Ｐａと、車速ｖと、下記の式（１）とによりアクセル一定時加速度Ｇｘ１を算出する。ここで、Ａは、０より大きく、車速ｖが０のときの要求加速度Ｇｘを定めるものである。Ｂは、０より小さく、車速ｖの増加に伴う要求加速度Ｇｘの減速具合を定めるものである。ＡおよびＢは、車種、搭載される加速度発生装置の構成、車両ＣＡの諸元などの諸条件で適宜設定されるものであり、例えばＡ＝５、Ｂ＝−０．０２であったり、Ａ＝６、Ｂ＝−０．０１５であったりする。つまり、下記の式（１）にからアクセル開度Ｐａの一定時におけるｖ−Ｇ関係が定められる。
Ｇｘ１＝Ａ×ｅＢ・ｖ                                                  …（１）
【００４６】
次に、ＥＣＵ６は、Ｃ（ｖ）を算出する（ステップＳＴ４）。ここでは、ＥＣＵ６は、算出された最小加速度Ｇｘ０と、算出されたアクセル一定時加速度Ｇｘ１と、一定アクセル開度Ｐａ１と、ウェーバー比ｋと、下記の式（２）とによりＣ（ｖ）を算出する。ここで、ウェーバー比ｋは、例えば、車両ＣＡの発進時や再加速時のコントロール性を考慮して適宜設定されるものであり、例えばｋ＝１．２であったりする。
Ｃ（ｖ）＝（Ｇｘ１−Ｇｘ０）／Ｐａ１ｋ                                …（２）
【００４７】
次に、ＥＣＵ６は、アクセル開度Ｐａが境界アクセル開度Ｐａ２を超えるか否かを判断する（ステップＳＴ５）。ここでは、ＥＣＵ６は、アクセル開度Ｐａが境界アクセル開度Ｐａ２を超えるか否かを判断することで、要求加速度ＧｘをＷＦ指数関数により算出するか、最大発生加速度Ｇｘｍａｘに基づいた補完により算出するかを判断する。つまり、ＥＣＵ６は、要求加速度Ｇｘをアクセル一定時加速度Ｇｘ１を含むアクセル開度Ｐａと要求加速度Ｇｘとの関係線Ｘ１に基づいて決定するか、最大発生加速度Ｇｘｍａｘを含むアクセル開度Ｐａと要求加速度Ｇｘとの関係線Ｘ２に基づいて決定するかを判断する。
【００４８】
次に、ＥＣＵ６は、アクセル開度Ｐａが境界アクセル開度Ｐａ２以下であると判断する（ステップＳＴ５否定）と、要求加速度Ｇｘを算出する（ステップＳＴ６）。ここで、ＥＣＵ６は、要求加速度ＧｘをＷＦ指数関数に基づいて算出する。ＥＣＵ６は、アクセル開度Ｐａと、算出されたＣ（ｖ）と、算出された最小加速度Ｇｘ０と、下記の式（３）とにより要求加速度Ｇｘを算出する。
Ｇｘ＝Ｃ（ｖ）Ｐａｋ＋Ｇｘ０                                          …（３）
【００４９】
また、ＥＣＵ６は、アクセル開度Ｐａが境界アクセル開度Ｐａ２を超えると判断する（ステップＳＴ５肯定）と、境界要求加速度Ｇｘ２を算出する（ステップＳＴ７）。ここで、ＥＣＵ６は、境界アクセル開度Ｐａ２と、算出されたＣ（ｖ）と、算出された最小加速度Ｇｘ０と、下記の式（４）とにより境界要求加速度Ｇｘ２を算出する。
Ｇｘ２＝Ｃ（ｖ）Ｐａ２ｋ＋Ｇｘ０                                      …（４）
【００５０】
次に、ＥＣＵ６は、要求加速度Ｇｘを算出する（ステップＳＴ８）。ここで、ＥＣＵ６は、要求加速度Ｇｘを最大発生加速度Ｇｘｍａｘに基づいて算出する。ＥＣＵ６は、アクセル開度Ｐａと、最大アクセル開度Ｐａｍａｘと、境界アクセル開度Ｐａ２と、最大発生加速度Ｇｘｍａｘと、算出された境界要求加速度Ｇｘ２と、下記の式（５）とにより要求加速度Ｇｘを算出する。
Ｇｘ＝（Ｇｘｍａｘ−Ｇｘ２）／（Ｐａｍａｘ−Ｐａ２）Ｐａ＋Ｇｘ２      …（５）
【００５１】
以上のように、実施形態に係る車両制御システム１においては、要求加速度Ｇｘを決定するに際して、一定アクセル開度Ｐａ１におけるｖ−Ｇ関係が影響を与える。実施形態では、一定アクセル開度Ｐａ１におけるｖ−Ｇ関係は、式（１）により図５に示す実線のように設計することができる。同図における一点鎖線は、アクセル開度Ｐａの全域にウェーバー・フェヒナーの法則を適用した場合（以下、「全域ＷＦ領域」と称する）の一定アクセル開度Ｐａ１におけるｖ−Ｇ関係である。上記ＷＦ指数関数は、任意の車速ｖにおいてアクセル開度Ｐａが全閉アクセル開度Ｐａ０であると任意の車速ｖにおける最小加速度Ｇｘ０が、最大アクセル開度Ｐａｍａｘであると任意の車速ｖにおける最大発生加速度Ｇｘｍａｘが要求加速度Ｇｘとして算出されるように定められている。同図に示すように、実施形態における一定アクセル開度Ｐａ１におけるｖ−Ｇ関係は、全域ＷＦ領域の場合と比較して、車速ｖの増加に伴い車両ＣＡに発生する加速度Ｇが全体的に緩やかに減少するように設計されている。つまり、実施形態における一定アクセル開度Ｐａ１におけるｖ−Ｇ関係は、車速ｖと加速度Ｇとの傾きが均一に近くなるように設計されている。従って、一定アクセル開度Ｐａ１におけるｖ−Ｇ関係は、全域ＷＦ領域の場合では最大発生加速度Ｇｘｍａｘの影響を受けて決定されるが、実施形態では最大発生加速度Ｇｘｍａｘの影響を受け難くなる。これにより、一定アクセル開度Ｐａ１におけるｖ−Ｇ関係を条件とするＰａ−Ｇｘ関係では、一定アクセル開度Ｐａ１に保ったときの車速方向の車両ＣＡに発生する加速度Ｇを設計することができる。
【００５２】
例えば、全域ＷＦ領域の場合におけるアクセル開度Ｐａと加速度Ｇの関係（以下、単に「Ｐａ−Ｇ関係」と称する。）では、一定アクセル開度Ｐａ１において、図６に示す実線の０〔ｋｍ／ｈ〕における加速度Ｇと同図に示す一点鎖線の５０〔ｋｍ／ｈ〕における加速度Ｇとの加速度変化ΔＧ１と、５０〔ｋｍ／ｈ〕における加速度Ｇと同図に示す二点鎖線の１００〔ｋｍ／ｈ〕における加速度Ｇとの加速度変化ΔＧ２とでは、加速度変化ΔＧ１が加速度変化ΔＧ２よりも著しく大きくなる。従って、一定アクセル開度Ｐａ１でも、車速ｖによって加速度Ｇが大きく変化することとなる。このように、全域ＷＦ領域の場合におけるＰａ−Ｇ関係では、一定アクセル開度Ｐａ１における車速方向の加速度Ｇの設計をすることが困難である。しかしながら、一定アクセル開度Ｐａ１におけるｖ−Ｇ関係を条件とするＰａ−Ｇｘ関係（Ｐａ−Ｇ関係）では、一定アクセル開度Ｐａ１において、図７に示す実線の０〔ｋｍ／ｈ〕における加速度Ｇと同図に示す一点鎖線の５０〔ｋｍ／ｈ〕における加速度Ｇとの加速度変化ΔＧ３と、５０〔ｋｍ／ｈ〕における加速度Ｇと同図に示す二点鎖線の１００〔ｋｍ／ｈ〕における加速度Ｇとの加速度変化ΔＧ４との差が、加速度変化ΔＧ１と加速度変化ΔＧ２との差と比較して小さくなっている。従って、一定アクセル開度Ｐａ１でも、車速ｖによって加速度Ｇが大きく変化することを抑制することができている。このように、一定アクセル開度Ｐａ１におけるｖ−Ｇ関係を条件とするＰａ−Ｇｘ関係では、一定アクセル開度Ｐａ１における車速方向の加速度Ｇの設計をすることができる。以上のことから、運転者のアクセル開度Ｐａに対する最適な要求加速度Ｇｘを決定することにより、運転者の感性に即した加速を十分に実現することができる。また、同じアクセル開度Ｐａであれば、車速ｖに関わらず運転者に近似した加速感を与えることができる。
【００５３】
また、最小加速度Ｇｘ０と一定アクセル開度Ｐａ１におけるｖ−Ｇ関係とを条件とするだけのＰａ−Ｇｘ関係では、アクセル開度Ｐａが最大アクセル開度Ｐａｍａｘとなっても、要求加速度Ｇｘが最大発生加速度Ｇｘｍａｘよりも小さくなる。従って、アクセル開度Ｐａが最大アクセル開度Ｐａｍａｘに近づくにつれ、加速度Ｇと加速度発生装置であるエンジン４およびＴ／Ｍ５により発生可能な加速度Ｇとの差が広がる虞がある。そこで、実施形態に係る車両制御システム１におけるＰａ−Ｇｘ関係は、アクセル開度Ｐａが一定アクセル開度Ｐａ１よりも大きい境界アクセル開度Ｐａ２を超えると、最小加速度Ｇｘ０と一定アクセル開度Ｐａ１におけるｖ−Ｇ関係と最大発生加速度Ｇｘｍａｘとを条件とする。実施形態に係るＰａ−Ｇｘ関係は、ウェーバー・フェヒナーの法則に基づいたＰａ−Ｇｘ関係である第１Ｐａ−Ｇｘ関係（上記式（３））と、最大アクセル開度Ｐａｍａｘ時に要求加速度Ｇｘが最大発生加速度Ｇｘｍａｘとなるように最大発生加速度Ｇｘｍａｘに基づいて補完を行うＰａ−Ｇｘ関係である第２Ｐａ−Ｇｘ関係（上記式（５））とにより構成されている。図８に示すように、アクセル開度Ｐａが境界アクセル開度Ｐａ２以下のときには、第１Ｐａ−Ｇｘ関係が適用される（ＷＦ領域）。また、アクセル開度Ｐａが境界アクセル開度Ｐａ２を超えるときには、第２Ｐａ−Ｇｘ関係が適用される（補完領域）。従って、アクセル開度Ｐａの大きい領域において同一アクセル開度Ｐａでの車両ＣＡに発生する加速度Ｇと加速度発生装置であるエンジン４およびＴ／Ｍ５が発生することができる加速度Ｇとの差が大きくなることを抑制することができる。これにより、最大発生加速度Ｇｘｍａｘを考慮することにより、運転者の感性に即した加速を十分に実現することができる。
【００５４】
また、第２Ｐａ−Ｇｘ関係では、最大アクセル開度Ｐａｍａｘ時に要求加速度Ｇｘが最大発生加速度Ｇｘｍａｘとなるので、最大アクセル開度Ｐａｍａｘ時に最大発生加速度Ｇｘｍａｘが車両ＣＡに発生することとなる。従って、エンジン４の最大出力を保証することができ、運転者の感性に即した加速を十分に実現することができる。
【００５５】
ここで、トルクディマンド制御を行う車両制御システム１においても、アイドルのオン時に加速度発生装置であるエンジン４およびＴ／Ｍ５により発生可能な加速度に対応する値、例えば駆動力は、現在の車速ｖ、変速比γ、ロックアップ付きトルクコンバータを備える場合はロックアップ係合状態、フューエルカット状態などによって限定される。従って、アイドルのオン時にトルクディマンド制御により決定された駆動力と実際に発生可能な駆動力とに差が生じることとなり、運転者がアクセル操作を行い、アイドルがオンからオフに切り替わった場合に、発生する駆動力に段差が生じたり、運転者がアクセルを踏み込んでも駆動力が発生しない不感帯が生じたりし、ドライバビリティが悪化する虞があった。
【００５６】
そこで、実施形態に係る車両制御システム１におけるＰａ−Ｇｘ関係は、アイドルがオンからオフに切り替わった場合における最小加速度Ｇｘ０をアイドルがオンからオフに切り替わる際の設定最小加速度Ｇｘ０´が算出された最小発生加速度Ｇｘｍｉｎと異なる場合に最小発生加速度Ｇｘｍｉｎを最小加速度Ｇｘ０に決定する。従って、図９に示す一点鎖線のように、アイドルがオンからオフに切り替わる際の最小加速度Ｇｘ０を最小発生加速度Ｇｘｍｉｎよりも大きい設定最小加速度Ｇｘ０´とした場合（Ｇｘｍｉｎ＜Ｇｘ０）や、同図に示す二点鎖線のように、アイドルがオンからオフに切り替わる際の最小加速度Ｇｘ０を最小発生加速度Ｇｘｍｉｎよりも小さい設定最小加速度Ｇｘ０´とした場合（Ｇｘｍｉｎ＞Ｇｘ０）であっても、同図に示す実線のように、アイドルがオンからオフに切り替わる際の最小加速度Ｇｘ０が最小発生加速度Ｇｘｍｉｎに決定される（Ｇｘｍｉｎ＝Ｇｘ０）。これにより、アクセル開度Ｐａが全閉アクセル開度Ｐａ０から全閉アクセル開度Ｐａ０以外に変化したとき、すなわちアイドルがオンからオフに切り替わったとき（図１０参照）に、最小加速度Ｇｘ０が最小発生加速度Ｇｘｍｉｎとなる（図１１参照）。図１２に示す一点鎖線のように、Ｇｘｍｉｎ＜Ｇｘ０では要求加速度ＧｘをＧｘｍｉｎからＧｘ０に変化させることとなるため、アクセル開度Ｐａに対するスロットル開度Ｓａはアクセルがオンされた時から著しく上昇するので、車両ＣＡに発生する駆動力に段差が生じてしまう。また、図１２に示す二点鎖線のように、Ｇｘｍｉｎ＞Ｇｘ０では要求加速度ＧｘがＧｘ０からＧｘｍｉｎとなるまで、車両ＣＡに発生する加速度Ｇが変化しないこととなるため、アクセル開度Ｐａに対するスロットル開度Ｓａはアクセルがオンされてからしばらくの間変化しないので、車両ＣＡに駆動力が発生しない不感帯が生じてしまう。しかしながら、図１２に示す実線のように、Ｇｘｍｉｎ＝Ｇｘ０ではアクセルがオンされた直後の要求加速度ＧｘがＧｘｍｉｎであるので、アクセルがオンされた直後におけるアクセル開度Ｐａに対するスロットル開度ＳａはＧｘｍｉｎ＜Ｇｘ０とＧｘｍｉｎ＞Ｇｘ０との間となり、アクセルがオンされた直後から車両ＣＡに駆動力を発生することができる。従って、アクセルのオフからオンでの駆動力のつながりを補償でき、車両ＣＡに発生する加速度Ｇが連続的に変化し、車両ＣＡの発進や再加速を滑らかに実現することができる。また、アイドルがオンからオフに切り替わる場合に、最小加速度Ｇｘ０を最小発生加速度Ｇｘｍｉｎとするので、運転者によるアクセル操作中、例えばアクセル開度Ｐａが一定の状態で要求加速度Ｇｘが最小加速度Ｇｘ０の変更に基づいて変更されることによる加速度Ｇの変動を抑制することができる。
【００５７】
また、実施形態に係る車両制御システム１におけるＰａ−Ｇｘ関係は、加速度発生装置であるエンジン４およびＴ／Ｍ５により発生可能な発生加速度、実施の形態では、最小発生加速度Ｇｘｍｉｎに基づいて所定の特性を維持しつつ変更されることとなる。従って、運転者の感性に即した加速を十分に実現しつつ、車両ＣＡの発進や再加速を滑らかに実現することができ、要求加速度Ｇｘと発生加速度との差を抑制することが可能となり、ドライバビリティの悪化を抑制することができる。
【００５８】
なお、上記実施形態では、Ｐａ−Ｇｘ関係において最大発生加速度Ｇｘｍａｘを条件としたが本発明はこれに限定されるものではなく、最大発生加速度Ｇｘｍａｘを条件としなくても良い。つまり、アクセル開度Ｐａの全域において、ＷＦ指数関数に基づいて要求加速度Ｇｘを算出しても良い。この場合は、Ｐａ−Ｇｘ関係における条件であるアクセル操作量の一定時におけるｖ−Ｇ関係を最大アクセル開度Ｐａｍａｘ時に要求加速度Ｇｘが最大発生加速度Ｇｘｍａｘに近づくように設計することが好ましい。
【００５９】
また、要求駆動力Ｆｏを算出する際に、走行抵抗を考慮したが、走行抵抗は考慮しなくても良い。また、上記実施形態では、加速度発生装置をエンジン４とＴ／Ｍ５としたがこれに限定されるものではなく、動力源としてモータと、モータの出力であるモータトルクを変換することができる動力伝達機構により構成されていても良い。また、Ｔ／Ｍ５がロックアップクラッチを有している場合は、ロックアップクラッチも加速度発生装置を構成する。これは、ロックアップクラッチのクラッチ状態によって、ロックアップクラッチの下流側に伝達されるエンジン４が発生するエンジントルクＴが変化し、車両ＣＡに発生する加速度Ｇが変化するためである。
【産業上の利用可能性】
【００６０】
以上のように、車両制御システムおよび車両制御方法は、運転者によるアクセルの操作に応じたアクセル操作量と、車両の車速とに基づいて車両に作用する加速度に対応する要求値を決定する車両制御システムおよび車両制御方法に有用であり、特に、運転者のアクセル操作量に対する最適な目標加速度を決定することにより、運転者の感性に即した加速を十分に実現するのに適している。
【符号の説明】
【００６１】
１  車両制御システム
２  アクセルセンサ
３  車速センサ
４  エンジン
５  トランスミッション（Ｔ／Ｍ）
６  ＥＣＵ
６１  静的要求加速度算出部
６２  動的要求加速度算出部
６３  要求駆動力算出部
６４  目標値算出部
【図１】
2011126423.tif 000003
【図２】
2011126423.tif 000004
【図３】
2011126423.tif 000005
【図４】
2011126423.tif 000006
【図５】
2011126423.tif 000007
【図６】
2011126423.tif 000008
【図７】
2011126423.tif 000009
【図８】
2011126423.tif 000010
【図９】
2011126423.tif 000011
【図１０】
2011126423.tif 000012
【図１１】
2011126423.tif 000013
【図１２】
2011126423.tif 000014